(57)【要約】【課題】相手コネクタとの端子との間で十分な接圧をもって接触できる回路基板用電気コネクタを提供することを課題とする。【解決手段】固定ハウジングで保持される固定側被保持部３４と、可動ハウジングで保持される可動側被保持部３６と、固定側被保持部３４と可動側被保持部３６の間に位置する中間弾性部３１とを有する端子３０は、固定側被保持部３４より延び固定ハウジング外に位置する一端部に設けられ回路基板へ接続される接続部３５と、固定側被保持部よりも端子の他端側位置で、可動ハウジングに形成された溝部内で移動可能に収められた接触腕部３３とを有し、接触腕部３２が接触部３３でつながり弾性のある二つの腕部３２Ａ，３２Ｂを有し、二つの腕部のそれぞれの基部に上記可動側被保持部が形成されていて、固定側被保持部３４が固定ハウジング１１で、そして可動側被保持部３６が可動ハウジング２１で、保持されている。【選択図】図５
2018037150.tif 000002
【特許請求の範囲】
【請求項１】
回路基板の面に固定取付けされる固定ハウジングと、該固定ハウジングに対して可動な可動ハウジングと、固定ハウジングと可動ハウジングに架け渡されて配列された複数の端子とを有し、固定ハウジングで保持される固定側被保持部と、可動ハウジングで保持される可動側被保持部と、固定側被保持部と可動側被保持部の間に位置する中間弾性部とを有している回路基板用電気コネクタにおいて、
端子は、固定側被保持部より延び固定ハウジング外に位置する一端部に設けられ回路基板へ接続される接続部と、固定側被保持部よりも端子の他端側位置で、可動ハウジングに形成された溝部内で移動可能に収められた接触腕部とを有し、
接触腕部が接触部でつながり弾性のある二つの腕部を有し、
二つの腕部のそれぞれの基部に上記可動側被保持部が形成されていて、
固定側被保持部が固定ハウジングで、そして可動側被保持部が可動ハウジングで、保持されていることを特徴とする回路基板用電気コネクタ。
【請求項２】
固定ハウジングは、可動ハウジングが回路基板から離れる方向での可動量を規制する規制金具が取り付けられていることとする請求項１に記載の回路基板用電気コネクタ。
【請求項３】
規制金具は、可動ハウジングの一部における上面に対して対面する規制部と、該規制部から延び回路基板に固定接続される複数の固定脚部とを有していることとする請求項２に記載の回路基板用電気コネクタ。
【請求項４】
規制金具の規制部は端子配列方向に直角なコネクタ幅方向に延びる平帯状をなし、複数の固定脚部が、コネクタ幅方向における該規制部の両端部の位置そして中間部の位置に設けられていることとする請求項３に記載の回路基板用電気コネクタ。
【発明の詳細な説明】
【技術分野】
【０００１】
本発明は、回路基板用電気コネクタに関する。
【背景技術】
【０００２】
この種のコネクタにあっては、回路基板の面に対して直角な方向をコネクタ嵌合方向として相手コネクタと接続される際、回路基板の面に平行な方向で相手コネクタが正規位置からずれた位置で嵌合接続されることがあり、そのため、上記ずれを吸収できる、いわゆるフローティングコネクタが広く用いられており、例えば、特許文献１に開示されている。
【０００３】
特許文献１のフローティングコネクタは、四角枠状をなしてその底面で回路基板に固定される固定ハウジング（ハウジング本体）と、該固定ハウジングの四角枠内に位置し該固定ハウジングに対して可動な可動ハウジング（ハウジング接続部）と、該可動ハウジングと上記固定ハウジングに架け渡された状態で配列されている複数の端子（コンタクト）とを有している。上記固定ハウジングは、端子の接続部が回路基板に半田接続されることで、該端子を介して回路基板に固定される。端子は可動ハウジングと固定ハウジングの間の空間に位置する該端子の中間部に略Ｌ字状の弾性部を有していて、該弾性部における弾性変位により上記ずれを吸収する。
【０００４】
特許文献１におけるコネクタの端子は、金属帯状をその板厚方向に屈曲形成したもので、いわゆる曲げ端子であり（特許文献１、段落［００４１］）、該端子は、特許文献１によると、上記固定ハウジングそして可動ハウジングに対し、組み付けることもあるいは一体成形することも可能であるとしている（［段落００５３］）。
【０００５】
上記端子は、一端側が可動ハウジング内に埋没され、相手コネクタとの接触接続のための接触部が上記可動ハウジングの側面で露呈するように該側面に固定されている。また上記端子は他端側が固定ハウジングで埋没保持されているとともに、その先端が固定ハウジング外に突出していて、回路基板に半田接続される接続部をなしている（図５参照）。
【０００６】
上記端子の弾性部は、可動ハウジングと固定ハウジングとの間で相手コネクタを受け入れる受入空間に面する溝内で、略Ｌ字状をなしていて、該溝内で弾性変位可能となっている。かかる受入空間を有しているコネクタは、一般にレセプタクルコネクタと称され、相手コネクタがプラグコネクタと称される。
【先行技術文献】
【特許文献】
【０００７】
【特許文献１】特許第４４１１８４３号
【発明の概要】
【発明が解決しようとする課題】
【０００８】
しかしながら、特許文献１のコネクタにあっては、相手コネクタと接触接続するための端子の接触部が可動ハウジングの側面に固定的に取り付けられているので、相手コネクタの端子が弾性変位可能な接触部を有していなければならない。特許文献１のレセプタクルコネクタに嵌合接続される相手コネクタたるプラグコネクタは、レセプタクルコネクタとは異なり、端子の接触部はプラグハウジングの外側面に露呈するので、取扱中に思わぬ衝撃力を受けることがあり、該接触部はプラグハウジングの外側面にしっかりと固定されている固定接触部形式であることが望まれ、弾性変位可能な形態は好まれていない。
【０００９】
したがって、特許文献１のレセプタクルコネクタは、相手コネクタがプラグハウジングの外側面に固定された固定接触部形式のプラグコネクタである場合、レセプタクルコネクタ側の端子の接触部が可動ハウジングに対して固定的に取り付けられた固定接触部形式となっていて、弾性変位できないので、上記固定接触部形式のレセプタクルコネクタには対応できない。
【００１０】
特許文献１では、端子が弾性部を有していることでフローティングを可能としている。このフローティング可能な端子は、フローティング用の弾性部での弾性変位量を確保するために、端子を細く、薄くする必要がある。しかし、弾性変位量を十分に確保しようとすると、端子は弾性接触部も含めて細く、薄くなってしまい、その結果、弾性接触部は軟らかくなりすぎて、十分接圧が得られなくなってしまう。
【００１１】
また、特許文献１によると、端子は一体成形でも可動ハウジングそして固定ハウジングにより保持されることが可能である旨記載されているが、この種のコネクタでは、端子が板厚方向に屈曲形成された曲げ端子であるが、仮に、板厚方向に抜き加工した抜き端子であっても、端子を高密度ピッチで配列する目的で端子幅を小さくした際に、一体成形で保持できるが、端子の接触部を弾性変位可能な形式にしようとすると、端子幅が小さいが故に弾性変位時に相手コネクタとの間の接圧に対し十分に耐えられる強度を確保することが困難となる。
【００１２】
本発明は、かかる事情に鑑み、フローティング可能なコネクタにあっても、端子の接触部で十分な接圧を確保し、さらには、端子を高密度配列するために端子幅の小さい端子をハウジングと一体成形した場合でも、この端子幅の小さい端子に、弾性変位可能な接触部をもたせ、弾性変位しない固定接触部形式の端子をもつ相手コネクタに対しても対応できる回路基板用電気コネクタを提供することを課題とする。
【課題を解決するための手段】
【００１３】
本発明に係る回路基板用電気コネクタは、回路基板の面に固定取付けされる固定ハウジングと、該固定ハウジングに対して可動な可動ハウジングと、固定ハウジングと可動ハウジングに架け渡されて配列された複数の端子とを有し、固定ハウジングで保持される固定側被保持部と、可動ハウジングで保持される可動側被保持部と、固定側被保持部と可動側被保持部の間に位置する中間弾性部とを有している。
【００１４】
かかる回路基板用電気コネクタにおいて、本発明では、端子は、固定側被保持部より延び固定ハウジング外に位置する一端部に設けられ回路基板へ接続される接続部と、固定側被保持部よりも端子の他端側位置で、可動ハウジングに形成された溝部内で移動可能に収められた接触腕部とを有し、接触腕部が接触部でつながり弾性のある二つの腕部を有し、二つの腕部のそれぞれの基部に上記可動側被保持部が形成されていて、固定側被保持部が固定ハウジングで、そして可動側被保持部が可動ハウジングで、保持されていることを特徴としている。
【００１５】
かかる構成の本発明では、二つの腕部をもつ接触腕部がそれぞれの腕部の基部にて一体成形で可動ハウジングにより保持され、接触部でつながる二つの腕部が上記基部以外の部分で弾性変位可能なので、腕部の弾性変位可能部分を長く確保しつつ、接触部での接圧を大きくできる。また接触腕部は、両方の基部で保持されるので該接触腕部の強度が大となる。
【００１６】
本発明において、固定ハウジングは、可動ハウジングが回路基板から離れる方向での可動量を規制する規制金具が取り付けられているようにすることができる。こうすると、規制金具で、相手コネクタ抜出時に可動ハウジングの抜出方向移動を規制するので端子の保護につながる。
【００１７】
本発明において、規制金具は、可動ハウジングの一部における上面に対して対面する規制部と、該規制部から延び回路基板に固定接続される複数の固定脚部とを有しているようにすることができる。かかる形態では、規制金具に複数の固定脚部が設けられるので、規制金具を保持する力が大となり、ひいては、可動ハウジングの規制能力が大となる。さらに、固定脚部を通して回路基板との電気的導通も可能となる。
【００１８】
本発明において、規制金具の規制部は端子配列方向に直角なコネクタ幅方向に延びる平帯状をなし、複数の固定脚部が、コネクタ幅方向における該規制部の両端部の位置そして中間部の位置に設けられているようにすることができる。こうすると、平帯状の規制部の中間部にも固定脚部を備えているので、コネクタの高さ方向寸法を大きくすることなく、規制金具を保持する規制能力が大となる。
【発明の効果】
【００１９】
以上のように、本発明は、接触部でつながり弾性のある二つの腕部を有する接触腕部を端子に設け、二つの腕部の基部で可動ハウジングとの一体成形により該可動ハウジングにより保持することとしたので、フローティング可能なコネクタであっても二つの腕部は大きく弾性変位が可能で接触部での十分な弾性変位量を確保しつつ、接触部を挟むように二つの腕部を有するので、接触部での接圧に対する強度が向上し、しかもそれらの二つの腕部の基部で可動ハウジングにより保持されることで上記接触腕部の保持強度も向上する。
【図面の簡単な説明】
【００２０】
【図１】本発明の一実施形態としての回路基板用電気コネクタ（レセプタクルコネクタ）とその相手方コネクタ（プラグコネクタ）とを示す斜視図である。
【図２】図１のレセプタクルコネクタの内部をも示す破断斜視図である。
【図３】図２のレセプタクルコネクタについて、固定ハウジングの図示を省略した斜視（図示せず）である。
【図４】図３のものから、さらに可動ハウジングを省略して、端子と規制金具のみを示す斜視図である。
【図５】図１の両コネクタの端子位置での断面図であり、（Ａ）はコネクタ嵌合前（Ｂ）は嵌合後を示す。
【図６】図２のレセプタクルコネクタを上方から見た図で、（Ａ）は可動ハウジングが正規位置、（Ｂ）は可動ハウジングがフローティング位置にあるときを示す。
【図７】本実施形態の変形例を示す断面図で、（Ａ）は一変形例、（Ｂ）は他の変形例を示す。
【発明を実施するための形態】
【００２１】
以下、添付図面にもとづき、本発明の実施の形態を説明する。
【００２２】
図１は、本実施形態に係る回路基板用電気コネクタとしてのレセプタクルコネクタ１とこれに嵌合接続されるプラグコネクタ２の嵌合接続前における外観を示す斜視図である。
【００２３】
図１において、レセプタクルコネクタ１は電気絶縁材製のレセプタクルハウジング１０と該レセプタクルハウジング１０により保持されている金属板製の端子３０そして規制金具４０とを有している。
【００２４】
上記レセプタクルハウジング１０は、レセプタクルコネクタ１を回路基板（図示せず）上に配置したときに、上方から見た平面形状が略四角枠状をなす固定ハウジング１１と、該固定ハウジング１１とは別体に形成されて上記固定ハウジング１１の四角枠空間内に位置する可動ハウジング２１とを有している。上記固定ハウジング１１と可動ハウジング２１との間の空間は、プラグコネクタ２を受け入れる受入空間１Ａを形成する。端子３０は上記固定ハウジング１１と可動ハウジング２１に架け渡されていて、該端子３０の一部で固定ハウジング１１によりそして他部で可動ハウジング２１により保持されている。また、規制金具４０は、固定ハウジング１１により保持されている。かかるレセプタクルコネクタ１については、後に図２以降を参照しつつ、詳述する。
【００２５】
一方、上記レセプタクルコネクタ１に嵌合接続されるプラグコネクタ２は、図１に見られるように、電気絶縁材製のプラグハウジング５１と該プラグハウジング５１により保持される金属板製の端子６０とを有し、上記プラグハウジング５１は、上記レセプタクルコネクタ１の受入空間１Ａに嵌合するような外形をもつ四角ブロック状をなし、図１にて下面側（図１には表われず）には、上記レセプタクルコネクタ２の可動ハウジング２１が進入するための凹部５１Ａ（図５（Ａ）参照）が形成されている。このプラグコネクタ２は、上記プラグハウジング５１の上記凹部５１Ａを形成する周壁のうちコネクタ長手方向に延びこれと直角な短手方向に対向する二つの側壁５２のそれぞれで複数の端子６０を保持している。該端子６０は上記長手方向で配列され、短手方向で対称をなすようにして対向している。該端子６０はプラグハウジング５１との一体成形により該プラグハウジング５１で保持されている。
【００２６】
端子６０は、図５（Ａ）に見られるように、金属帯状体をその板厚方向に屈曲して形成されており、Ｊ字状に屈曲された一端部６１がプラグハウジング５１の周壁の開口部にて側壁５２内に埋没保持され、他端部が上記側壁５２の基部からプラグハウジング５１外に突出し横方向に延びる接続部６２を形成している。上記端子６０の中間部はＬ字状に屈曲されていて、側壁５２で保持されつつ該側壁５２から露呈する縦部と該縦部から屈曲される横部とを有し、縦部が接触部６３を形成し、縦部から横部への遷移部分がプラグハウジング５１に埋没し該プラグハウジング５１で保持される被保持部６４を形成している。
【００２７】
次に、レセプタクルコネクタ１にもどり、図２ないし図５にもとづき、該レセプタクルコネクタ１について、より詳しく説明する。
【００２８】
図２に見られるように、レセプタクルコネクタ１の固定ハウジング１１と可動ハウジング２１には、受入空間１Ａを形成する固定ハウジング１１の側壁１２の内面と可動ハウジング２１の側壁に、それぞれ端子溝１３そして端子溝２２とを対向するように配列形成されている。また、可動ハウジング２１は、該可動ハウジング２１の端子溝２２同士間に形成された溝壁２３の下端が固定ハウジング１１の方に向け延びてリブ２３Ａを形成している。複数の溝壁２３の下端に位置するすべてのリブ２３Ａはレセプタクルコネクタ１の受入空間１Ａの底部に位置し、該可動ハウジング２１の長手方向に延びる底部保持部２４を形成している。上記可動ハウジング２１は、端子溝２２の配列方向両端に、該可動ハウジング２１の下部から上記端子溝２２の配列方向に突出する段付板状の被規制部２５が設けられている（図３参照）。
【００２９】
一方、レセプタクルコネクタ１の端子３０は、本実施形態では、金属帯体をその板厚方向に屈曲された、いわゆる曲げ端子の形態をなしている。本発明では、端子は曲げ端子のみならず、金属板をその板厚方向に抜いた形態をなす、いわゆる抜き端子であってもよい。
【００３０】
上記端子３０は、図２、図４そして図５（Ａ）に見られるように、全体として二つの逆Ｕ字状部をもつ略波形をなし、固定ハウジング１１の側壁１２側に位置する一方の逆Ｕ字状部が中間弾性部３１をなし側壁１２に形成された端子溝１３内に収められている。また、可動ハウジング２１側に位置する他方の逆Ｕ字状部は、二つの腕部３２Ａ，３２Ｂを有する接触腕部３２を形成している。該二つの腕部３２Ａ，３２Ｂは該腕部３２Ａ，３２Ｂの基部を除いて、それらの殆どの部分が可動ハウジング２１の端子溝２２内に収められており、上記腕部３２Ａ，３２Ｂはそれらの上部で接触部３３によりつながっている。該接触部３３は上記端子溝２２外に突出するように凸湾曲形成されている。
【００３１】
端子３０の上記中間弾性部３１が端子溝１３の奥側に位置する腕部の下端からは斜めに延びる固定側被保持部３４をなしていて、該固定側被保持部３４は固定ハウジング１１の側壁１２の下部にて一体成形により埋没保持されており、該固定側被保持部３４からは該端子３０の一端側が延出していて上記側壁１２外にあり該側壁１２の下面に沿って位置しており、この一端側が回路基板への半田接続のための接続部３５を形成する。
【００３２】
上記接触腕部３２はその二つの腕部３２Ａ，３２Ｂのうち、端子溝２２の奥側に位置する腕部３２Ａの下端部をなす基部３２Ａ−１がＬ字状に屈曲されていて、可動ハウジング２１の下部にて一体成形により埋没保持されている。これに対し、端子溝２２の開口側に位置する腕部３２Ｂがその下端部をなす基部３２Ｂ−１をＬ字状に屈曲して上記可動ハウジングの底部保持部２４を貫通していて、中間弾性部３１の二つの腕部のうち端子溝１３の開口側に位置する腕部の下端とつながっている。上記腕部３２Ｂの基部３２Ｂ−１は可動側被固定部３６をなしていて上記底部保持部２４との一体成形により保持されている。
【００３３】
上記端子３０は、上述のように、接触部３３でつながり逆Ｕ字状をなす接触腕部３２の二つの腕部３２Ａ，３２Ｂは、それらの基部３２Ａ−１，３２Ｂ−１が可動ハウジング２１による一体成形で保持されていて、該基部３２Ａ−１，３２Ｂ−１よりも上方の逆Ｕ字状部分は、何ら拘束を受けておらず、弾性変位が可能となっている。もちろん中間弾性部３１も何ら拘束を受けていないので、弾性変位が可能である。
【００３４】
固定ハウジング１１により保持されている金属板製の規制金具４０は、固定ハウジング１１を省略して可動ハウジング２１、端子３０そして規制金具４０を示す図３に見られるように、可動ハウジング２１の既述の被規制部２５の上面に面しコネクタ幅方向に延びる平帯状の規制部４１と、該規制部４１から延出する固定脚部４２とを有している。固定脚部４２は、上記規制部４１の両端と側部に設けられているが、いずれも、下方に向けクランク状に屈曲されていて、下端部が回路基板の対応部に半田固定されるようになっている。
【００３５】
このような規制金具４０は、可動ハウジング２１の被規制部２５と面する規制部４１のうち上記固定脚部４２が位置する縁部と、固定脚部４２の基部が固定ハウジング１１内に一体成形により埋没されていて該固定ハウジング１１の一体成形により保持されている。換言すれば、固定ハウジング１１にて埋没保持されている部分以外は露呈している。
【００３６】
かかる規制金具４０は、その一部で可動ハウジング２１で一体成形により保持されるので、圧入による保持にくらべ、規制金具の圧入シロを考慮しなくてよいので省スペース化できるとともに、圧入方向に拘束されないので規制金具の形状を簡略化でき、この点でも省スペース化につながる。
【００３７】
かかる形態のレセプタクルコネクタ１は、次の要領で使用される。先ず、該レセプタクルコネクタ１は、その端子３０の接続部３５が回路基板（図示せず）の対応回路部に半田接続され、また規制金具４０の固定脚部４２が上記回路基板の対応部に半田固定される。
【００３８】
一方、プラグコネクタ２も、レセプタクルコネクタ１と同様に、該プラグコネクタ２の端子６０の接触部６２にて他の回路基板（図示せず）の対応回路部に半田接続される。
【００３９】
かかる後、上記他の回路基板に取り付けられたプラグコネクタ２を、図１そして図５に見られるごとく、上記他の回路基板を上方とした姿勢、すなわち、プラグコネクタ２の凹部５１Ａを下方に開口する姿勢で、上記回路基板に取り付けられたレセプタクルコネクタ１の直上位置にもたらし、そのまま下降する。
【００４０】
プラグコネクタ２を降下すると、該プラグコネクタ２の凹部５１Ａにレセプタクルコネクタ１の可動ハウジング２１が端子３０の接触腕部３２とともに進入するようにして、プラグコネクタ２がレセプタクルコネクタ１の受入空間１Ａに受け入れられる（図５（Ｂ）参照）。
【００４１】
図５（Ｂ）に見られるように、プラグコネクタ２がその下端でレセプタクルコネクタ１の底部保持部２４に当接する所定深さまで嵌合すると、プラグコネクタ２に設けられた二列の端子６０は、レセプタクルコネクタ１の二列の端子３０の接触部３３とコネクタ幅方向で内側から当接する。上記接触部３３は、弾性を有する二つの腕部３２Ａ，３２Ｂから成る接触腕部３２の上部に位置しており、上記二つの腕部３２Ａ，３２Ｂの弾性撓み変位による付勢力をもってプラグコネクタの端子６０の接触部６２に接触する。
【００４２】
ここで、例えば、プラグコネクタ２がレセプタクルコネクタ１に対して、所定位置から左右方向でずれた位置でレセプタクルコネクタ１に嵌合されたとすると、そのずれの分だけ、上記レセプタクルコネクタ１の対をなす二つの端子３０の一方の端子の中間弾性部３１がその逆Ｕ字状をなす両脚を開脚するように弾性変位し、他方の端子の中間弾性部がその逆Ｕ字状をなす両脚を閉脚するように弾性変位することで、上記プラグコネクタ２の移動を可能とし、いわゆるフローティングがなされる。
【００４３】
上記フローティングの様子は、図６（Ａ），（Ｂ）で良く理解できる。図６（Ａ），（Ｂ）はコネクタ１を上方から見た図であり、図６（Ａ）は可動ハウジング２１が固定ハウジング１１に対し正規位置にある場合、図６（Ｂ）は可動ハウジング２１が固定ハウジング１１に対しフローティングしている位置にある場合を示している。図６（Ａ）では、可動ハウジング２１は固定ハウジング１１に対し、上下そして左方方向のいずれでも対称な正規位置にある。この正規位置では、可動ハウジング２１は、図６（Ａ）の上下部分で見られるように、固定ハウジング１１との間に隙間δを等しく形成し、可動ハウジング２１の左右の被規制部２５は、同じ面積で規制金具４０の規制部４１により規制を受けている。このことは、上方から見て、規制部４１と当接していない被規制部２５が左右で同面積として表われていることから良くわかる。
【００４４】
一方、フローティング状態の図６（Ｂ）では、固定ハウジング１１に対して可動ハウジング２１が右上方に向け斜めに移動している。すなわち、図６（Ａ）における上方の隙間δはなくなっており、下方の隙間が増大している。さらに、左右方向では、右方の被規制部２５は左方の被規制部２５にくらべ大きい面積で規制部４１と当接した状態で該規制部４１により規制されている。換言すれば、左方の被規制部２５が規制を受けていない面積を図６（Ａ）の状態に比し小さくしている。このフローティングは図６（Ｂ）に見られるように、端子３０の弾性部３１の弾性変形によって可能となっている。
【００４５】
上記レセプタクルコネクタ１の端子３０は、プラグコネクタ２が正規位置で嵌合しても、あるいはずれをもって嵌合しても、該端子３０の接触腕部３２は、それらの二つの腕部３２Ａ，３２Ｂの基部で可動ハウジング２１との一体成形でしっかりと保持されていながらも、該基部から上方に十分に長く延びているので、プラグコネクタ２の端子６０との間の弾性変位による接圧を十分大きく確保できる。
【００４６】
このように、レセプタクルコネクタ１の端子３０はその接触部３３で大きな接圧をもってプラグコネクタ２の端子６０と接触しているので、プラグコネクタ２を抜出する際には、レセプタクルコネクタ１は上記接触部３３にて大きな摩擦力が抜出方向に作用し、可動ハウジング２１はその力によって上方に移動して可動量を増大しようとする傾向を示す。
【００４７】
本実施形態では、固定ハウジング１１に規制金具４０が保持されており、該規制金具４０の規制部４１が可動ハウジング２１の被規制部２５の上面に面するように位置している。したがって、プラグコネクタ２の抜出時に、可動ハウジング２１が端子３０の接触部３３での摩擦力で上方に引かれても、上記被規制部２５が規制部４１に当接して上方移動が規制される。上記規制部４１は、プラグコネクタ２の抜出前の当初から被規制部２５の上面と接触していても、あるいは当初被規制部２５の上面との間に隙間があってもよい。
【００４８】
上記規制金具４０は固定ハウジング１１により一体成形で強固に保持されているが、該規制金具４０自体でも、その複数の固定脚部４２で回路基板に半田固定されているので、上記規制部４１で可動ハウジング２１からの上方に向けた力を受けても十分な強度をもって、該可動ハウジング２１の上方への可動量を規制する。
【００４９】
本発明は、図１ないし図６に図示した例に限定されず、種々変形が可能である。
【００５０】
例えば、既出のレセプタクルコネクタ１の端子３０は、対向している一対の端子３０同士が別部材であったが、互いに連結されている一部材として形成されていてもよい。図６（Ａ）の場合、可動ハウジング２１に対し、左右に接触部３３を有する端子３０は一部材であり、接触部３３から下方に向け一方の腕部３２Ａがそして横方向に向け他方の腕部３２Ｂが延びている形態の接触腕部３２となっている。一方の腕部３２Ａの基部は、既出の形態の場合と同様に可動ハウジング２１の底部保持部２４により保持され、他方の腕部３２Ｂの基部は可動ハウジング２１の中央壁の上部で保持されている。
【００５１】
かかる図７（Ａ）の端子３０を、対をなす二つの端子３０に分離することも可能である。例えば、図７（Ｂ）のように、他方の腕部３２Ｂを左右の接触部３３の間で切断した形態として、上記他方の腕部の基部を可動ハウジング２１のＴ字断面形状の中央型の上部で保持することとしている。
【符号の説明】
【００５２】
１  回路基板用電気コネクタ（レセプタクルコネクタ）
１１  固定ハウジング
２１  可動ハウジング
３０  端子
３１  中間弾性部
３２  接触腕部
３２Ａ，３２Ｂ  腕部
３３  接触部
３４  固定側被保持部
３６  可動側被保持部
【図１】
2018037150.tif 000003
【図２】
2018037150.tif 000004
【図３】
2018037150.tif 000005
【図４】
2018037150.tif 000006
【図５】
2018037150.tif 000007
【図６】
2018037150.tif 000008
【図７】
2018037150.tif 000009